(57)【要約】      （修正有）【課題】音質性能を向上させる液体アルミニウム電解コンデンサを提供する。【解決手段】電解コンデンサは、筐体１０と素子２０を含み、筐体は開口部１１と開口部に対向する底部１２とを備え、素子が筐体内に設置される。さらに、電解コンデンサは緩衝部３０を含み、緩衝部が筐体内に設置され、筐体の底部と素子の間に位置する。緩衝部による防振効果と内部素子の緩み防止効果が音質性能を向上させる。【選択図】図１
0003224135.tif 000002
【実用新案登録請求の範囲】
【請求項１】
開口部と当該開口部に対向する底部とを有する筐体と、当該筐体内に設置される素子と、を含む電解コンデンサであって、
さらに、当該筐体内に設置される、当該筐体の当該底部と当該素子との間に位置する緩衝部を含むことを特徴とする電解コンデンサ。
【請求項２】
当該緩衝部の材質はポリエチレンテレフタレート（Ｐｏｌｙｅｔｈｙｌｅｎｅ  ｔｅｒｅｐｈｔｈａｌａｔｅ）、ポリテトラフルオロエチレン（Ｐｏｌｙｔｅｔｒａｆｌｕｏｒｏｅｔｈｙｌｅｎｅ）、ポリイミド（Ｐｏｌｙｉｍｉｄｅ）、ポリフェニレンスルフィド（Ｐｏｌｙｐｈｅｎｙｌｅｎｅ  ｓｕｌｆｉｄｅ）などのいずれかのポリマーを含むことを特徴とする請求項１に記載の電解コンデンサ。
【請求項３】
当該緩衝部の材質は電解紙（Ｃａｐａｃｉｔｏｒ  ｔｉｓｓｕｅ  ｐａｐｅｒ）を含むことを特徴とする請求項１に記載の電解コンデンサ。
【請求項４】
当該緩衝部はシート状であり、且つ当該底部と当該素子にそれぞれ面している２つの対向平面を有することを特徴とする請求項１ないし３のいずれかの１項に記載の電解コンデンサ。
【請求項５】
当該２つの対向平面のうち少なくとも１つの対向平面に少なくとも１つの凸部が形成されることを特徴とする請求項４に記載の電解コンデンサ。
【請求項６】
当該２つの対向平面のうち少なくとも１つの対向平面に少なくとも１つの凹部が形成されることを特徴とする請求項４に記載の電解コンデンサ。
【考案の詳細な説明】
【技術分野】
【０００１】
本考案は、電解コンデンサに関し、特に液体アルミニウム電解コンデンサであって、任意の液体電解質または同時に高分子電解質と液体電解質を使用するコンデンサに関する。
【背景技術】
【０００２】
液体アルミニウム電解コンデンサは温度に敏感であるが、同様な動作温度で、寿命が導電性高分子のアルミニウム固体コンデンサよりはるかに短い。しかしながら、蓄電と放電の変化が遅いという電解コンデンサの特性は、音響効果をシミュレートする結合コンデンサに使用されると、聞き心地がよいスムーズな音響効果を出力することができる。ただし、現在の液体アルミニウム電解コンデンサの構造（防振効果が低く、内部部品が緩みやすい）が音質の不安定要因であるため、改善が急務になっている。
【考案の概要】
【０００３】
本考案は、音質性能を向上させ、超高音質を実現する新しい構造のある液体アルミニウム電解コンデンサを提供することを目的とする。
【０００４】
したがって、本考案は、筐体と素子を含む電解コンデンサを提供し、筐体は開口部と開口部に対向する底部とを備え、素子が筐体内に設置される。さらに、緩衝部を含み、緩衝部が筐体内に設置され、筐体の底部と素子の間に位置する。
【０００５】
また、緩衝部の材質はポリエチレンテレフタレート（Ｐｏｌｙｅｔｈｙｌｅｎｅ  ｔｅｒｅｐｈｔｈａｌａｔｅ）、ポリテトラフルオロエチレン（Ｐｏｌｙｔｅｔｒａｆｌｕｏｒｏｅｔｈｙｌｅｎｅ）、ポリイミド（Ｐｏｌｙｉｍｉｄｅ）、ポリフェニレンスルフィド（Ｐｏｌｙｐｈｅｎｙｌｅｎｅ  ｓｕｌｆｉｄｅ）などのいずれかのポリマーを含む。
【０００６】
また、緩衝部の材質は電解紙（Ｃａｐａｃｉｔｏｒ  ｔｉｓｓｕｅ  ｐａｐｅｒ）を含む。
【０００７】
また、緩衝部はシート状であり、且つ底部と素子にそれぞれ面している２つの対向平面を有する。
【０００８】
また、２つの対向平面のうち少なくとも１つの対向平面に少なくとも１つの凸部が形成される。
【０００９】
また、２つの対向平面のうち少なくとも１つの対向平面に少なくとも１つの凹部が形成される。
【００１０】
本考案の好適な効果は、素子と筐体の底部の間に設置されている緩衝部により、音質性能を向上させ、超高音質の液体アルミニウム電解コンデンサを実現することである。
【図面の簡単な説明】
【００１１】
【図１】本考案に係る電解コンデンサの部分断面図である。
【図２Ａ】本考案に係る電解コンデンサの緩衝部の実施構造形状を示す模式図である。
【図２Ｂ】本考案に係る電解コンデンサの緩衝部の実施構造形状を示す模式図である。
【図３Ａ】本考案に係る電解コンデンサの緩衝部の実施構造形状を示す模式図である。
【図３Ｂ】本考案に係る電解コンデンサの緩衝部の実施構造形状を示す模式図である。
【図４Ａ】本考案に係る電解コンデンサの緩衝部の実施構造形状を示す模式図である。
【図４Ｂ】本考案に係る電解コンデンサの緩衝部の実施構造形状を示す模式図である。
【考案を実施するための形態】
【００１２】
本考案で採用する技術、解決手段とその効果について、図面を用いて好ましい実施形態を提供するが、そのような構造は、実用新案出願を限定するものではなく、本考案を解釈するものである。
【００１３】
図１に示すように、本考案に係る電解コンデンサは筐体１０と一素子２０を含み、筐体１０は開口部１１と、開口部１１に対向する底部１２とを有する。筐体１０はアルミニウム製筐体であってもよく、且つ音質を向上させるために外部絶縁、または印刷用塗膜を施さない。筐体１０の処理について筐体１０の長さより短いポリエチレンテレフタレート（Ｐｏｌｙｅｔｈｙｌｅｎｅ  ｔｅｒｅｐｈｔｈａｌａｔｅ）製スリーブが被覆でき、またはスリーブを被覆せず、アルミニウムが剥がれない特殊なインキを使用する。
【００１４】
素子２０は筐体１０内に設置され、且つ端子２１とガイドピン２２を有する。端子２１は２つ以上の任意形状の端子２１であってもよく、端子２１の材質は鉄または銅を含む。ガイドピン２２は錫めっき鉄線または錫めっき銅線が採用できる。
【００１５】
緩衝部３０は筐体１０内に設置され、筐体１０の底部１２と素子２０の間に位置する。したがって、素子２０を筐体１０内に挿入する前に、緩衝部３０を筐体１０内に設置してから、素子２０を插入する。緩衝部３０は樹脂系シートであってもよく、且つ緩衝部３０の材質はポリエチレンテレフタレート（Ｐｏｌｙｅｔｈｙｌｅｎｅ  ｔｅｒｅｐｈｔｈａｌａｔｅ）、ポリテトラフルオロエチレン（Ｐｏｌｙｔｅｔｒａｆｌｕｏｒｏｅｔｈｙｌｅｎｅ）、ポリイミド（Ｐｏｌｙｉｍｉｄｅ）、ポリフェニレンスルフィド（Ｐｏｌｙｐｈｅｎｙｌｅｎｅ  ｓｕｌｆｉｄｅ）などのいずれかのポリマーを含み、または電解紙（Ｃａｐａｃｉｔｏｒ  ｔｉｓｓｕｅ  ｐａｐｅｒ）である。
【００１６】
本実施形態において、緩衝部３０はシート状（又は板状、薄い形状）であり、且つ２つの対向平面３１を有する。当該２つの対向平面３１は底部１２と素子２０にそれぞれ面している。
【００１７】
素子２０を挿入した後、封止部４０は筐体１０の開口部１１を密閉し、端子２１とガイドピン２２を封止部４０に貫通させ、コンデンサの組立を実現する。封止部４０はゴム蓋であってもよく、または鉄や銅製のベークライト蓋または蓋板であってもよい。
【００１８】
本考案に係る電解コンデンサは液体または固液混合であってもよい。調製手順は次のどおりである。
【００１９】
液体：
アルミ箔切断→素子巻取→素子乾燥→素子含浸→緩衝部挿入→組立→スリーブ／印刷→充電選別→加工→完成品
【００２０】
固液混合：
アルミ箔切断→素子の釘接続と巻取→化成→炭化→含浸（高分子）→重合→含浸（電解液）→緩衝部挿入→組立→充電選別→加工→完成品
【００２１】
本考案に係る電解コンデンサの材料と規格を下表に示す。
【表１】
0003224135.tif 000003
【００２２】
コンデンサ仕様：容量：０．１ｕＦ〜２２０００ｕＦ、電圧：２．５ＷＶ〜１００ＷＶ、寸法：φ３ｍｍ〜φ８９ｍｍ、Ｌ５．３ｍｍ〜Ｌ２３６ｍｍ。
【００２３】
音質性能は次のどおりである。
試作仕様：４７０  ｕＦ／６．３  Ｖ  φ  ８ｘ１０Ｌ、試聴機器：ＣＤ  Ｐｌａｙｅｒ、アンプ、スピーカー、ＣＤ（ＨＯＬＬＹ  ＣＯＬＥ  ＴＲＩＯ、ＰＡＵＬ  ＭＣＣＡＲＴＮＥＹ）。
【００２４】
試聴結果：
【表２】
0003224135.tif 000004
【００２５】
図２Ａ、図２Ｂ、図３Ａ、図３Ｂ、図４Ａ、図４Ｂは本考案に係る電解コンデンサの緩衝部の各実施構造形状を示す模式図である。図２Ａでは、緩衝部３０ａの２つの対向平面３１ａのうち少なくとも１つの対向平面３１ａに少なくとも１つの凸部３２ａを形成させ、凸部３２ａは複数であってもよいが、図２Ｂでは、緩衝部３０ｂの２つの対向平面３１ｂに少なくとも１つの凸部３２ｂをそれぞれ形成させ、凸部３２ｂは複数であってもよい。
【００２６】
図３Ａでは、緩衝部３０ｃの２つの対向平面３１ｃのうち少なくとも１つの対向平面３１ｃに少なくとも１つの凹部３２ｃを形成させ、凹部３２ｃは複数であってもよいが、図３Ｂでは、緩衝部３０ｄの２つの対向平面３１ｄに少なくとも１つの凹部３２ｄをそれぞれ形成させ、凹部３２ｄは複数であってもよい。
【００２７】
図４Ａでは、緩衝部３０ｅの平面３１ｅに十字状の凸部３２ｅを形成させるが、図４Ｂでは、緩衝部３０ｆの平面３１ｆに人字状（Ｙ字状）の凸部３２ｆを形成させる。凸部３２ｅ、３２ｆは任意の形状であってもよく、または凹部と設置されることが理解される。
【００２８】
以上をまとめると、本考案の好適な効果は、素子２０と筐体１０の底部１２の間に設置されている緩衝部３０により、音質性能を向上させ、超高音質の液体アルミニウム電解コンデンサを実現することである。
【００２９】
以上は、本考案を限定するものではなく例示的なものであり、当業者は、添付の実用新案登録請求の範囲に記載された精神および範囲から逸脱することなく、行われた多くの修正、変更、または同等置換は本考案の保護範囲内に含まれると理解する。
【符号の説明】
【００３０】
１０  筐体
１１  開口部
１２  底部
２０  素子
２１  端子
２２  ガイドピン
３０  緩衝部
３１  平面
４０  封止部
３０ａ  緩衝部
３１ａ  平面
３２ａ  凸部
３０ｂ  緩衝部
３１ｂ  平面
３２ｂ  凸部
３０ｃ  緩衝部
３１ｃ  平面
３２ｃ  凹部
３０ｄ  緩衝部
３１ｄ  平面
３２ｄ  凹部
３０ｅ  緩衝部
３１ｅ  平面
３２ｅ  凸部
３０ｆ  緩衝部
３１ｆ  平面
３２ｆ  凸部
【図１】
0003224135.tif 000005
【図２Ａ】
0003224135.tif 000006
【図２Ｂ】
0003224135.tif 000007
【図３Ａ】
0003224135.tif 000008
【図３Ｂ】
0003224135.tif 000009
【図４Ａ】
0003224135.tif 000010
【図４Ｂ】
0003224135.tif 000011